(57)【要約】【課題】箱内における組立展開状態の強度が大きく、折り畳み状態における寸法が小さい中仕切装置を提供する。【解決手段】第２壁ｉＢｊの切起片ｉＴｊが第３壁ｉＣｊに接着され、第４壁ｉＤｊの切起片ｉＳｊが第１壁ｉＡｊに接着され、第１壁ｉＡｊ及び第２壁ｉＢｊが連続する板体により形成されると共に組立展開状態において互いに垂直であり、第３壁ｉＣｊ及び第４壁ｉＤｊが連続する別の板体により形成されと共に組立展開状態において互いに垂直であり、前記第１壁乃至第４壁がそれぞれ各々の隣接する区画ｉ−１Ｐｊ、ｉＰｊ＋１、ｉ＋１Ｐｊ、ｉＰｊ−１の第３壁ｉ−１Ｃｊ、第４壁ｉＤｊ＋１、第１壁ｉ＋１Ａｊ、及び第２壁ｉＢｊ−１と一体であることを特徴とする中仕切装置。【選択図】図１
0003163144.tif 000002
【実用新案登録請求の範囲】
【請求項１】
箱内において組立展開されたとき箱内を複数の上下方向に延びる区画（ｉＰｊ、ｉ＝１・・ｍ、ｊ＝１・・ｎ）に仕切ることが可能な中仕切装置であって、
箱内壁から離間する区画（ｉＰｊ）の各々が互いに平行の第１壁（ｉＡｊ）及び第３壁（ｉＣｊ）並びに互いに平行の第２壁（ｉＢｊ）及び第４壁（ｉＤｊ）により囲まれ、
第２壁（ｉＢｊ）の切起片（ｉＴｊ）が第３壁（ｉＣｊ）に接着され、第４壁（ｉＤｊ）の切起片（ｉＳｊ）が第１壁（ｉＡｊ）に接着され、
第１壁（ｉＡｊ）及び第２壁（ｉＢｊ）が連続する板体により形成されると共に組立展開状態において互いに垂直であり、
第３壁（ｉＣｊ）及び第４壁（ｉＤｊ）が連続する別の板体により形成されると共に組立展開状態において互いに垂直であり、
前記第１壁乃至第４壁がそれぞれ各々の隣接する区画（ｉ−１Ｐｊ、ｉＰｊ＋１、ｉ＋１Ｐｊ、ｉＰｊ−１）の第３壁（ｉ−１Ｃｊ）、第４壁（ｉＤｊ＋１）、第１壁（ｉ＋１Ａｊ）、及び第２壁（ｉＢｊ−１）と一体であることを特徴とする中仕切装置。
【請求項２】
前記各区画（ｉＰｊ）の第２壁（ｉＢｊ）が複数の切起片（ｉＴｊ）を有し、該複数の切起片（ｉＴｊ）が同一方向に伸長し第３壁（ｉＣｊ）に接着され、前記各区画（ｉＰｊ）の第４壁（ｉＢｊ）が複数の切起片（ｉＳｊ）を有し、該複数の切起片（ｉＳｊ）が同一方向に伸長し第１壁（ｉＡｊ）に接着されることを特徴とする請求項１に記載の中仕切装置。
【請求項３】
前記各区画（ｉＰｊ）の組立展開状態における第１壁（ｉＡｊ）と第３壁（ｉＣｊ）の間隔（Ｅａ）が互いにほぼ等しい請求項１又は２に記載の中仕切装置。
【請求項４】
前記各区画（ｉＰｊ）の組立展開状態における第２壁（ｉＢｊ）と第４壁（ｉＤｊ）の間隔（Ｋａ）が互いにほぼ等しく、且つ前記第１壁（ｉＡｊ）と第３壁（ｉＣｊ）の間隔（Ｅａ）に等しい請求項１乃至３のいずれか１項に記載の中仕切装置。
【請求項５】
請求項１乃至４のいずれか１項に記載の中仕切装置であって、折り畳み状態とするために、前記各区画（ｉＰｊ）の第１壁（ｉＡｊ）と第３壁（ｉＣｊ）が平行且つ互いに反対の方向（＋Ｙ、−Ｙ）へ移動されると共に両者の前記間隔（Ｅａ）が減少され、前記移動方向に垂直に配置される一連の区画の内の１つ置きの区画（ｉ−２Ｐｊ、ｉＰｊ、ｉ＋２Ｐｊ）の第１壁（ｉＡｊ）が同一方向（＋Ｙ、−Ｙ）となるように移動される請求項１乃至４のいずれか１項に記載の中仕切装置。
【請求項６】
請求項５に記載の中仕切装置であって、折り畳み状態において、中仕切装置の前記移動方向（＋Ｙ、−Ｙ）の全寸法（Ｋｎ）が前記第２壁（ｉＢｊ）と第４壁（ｉＤｊ）の間隔（Ｋａ）と前記移動方向（＋Ｙ、−Ｙ）の区画（ｉＰｊ）の数（ｎ）との積と、組立展開状態における第１壁（ｉＡｊ）と第３壁（ｉＣｊ）の間隔（Ｅａ）との和（Ｋａ×ｎ＋Ｅａ）である中仕切装置。
【請求項７】
請求項１乃至６のいずれか１項に記載の中仕切装置であって、前記移動方向（＋Ｙ、−Ｙ）に伸張する第１の側壁（Ｈａ）及び第２の側壁（Ｈｂ）を有し、前記第１の側壁（Ｈａ）に対し該第１の側壁（Ｈａ）沿って配置される複数の区画（１Ｐｊ）の各第１壁（１Ａｊ）が接着され、前記第２の側壁（Ｈｂ）に対し該第２の側壁（Ｈｂ）に沿って配置される複数の区画（ｍＰｊ）の各第３壁（ｍＣｊ）が接着される中仕切装置。
【請求項８】
請求項１乃至７のいずれか１項に記載の中仕切装置であって、切起片（ｉＴｊ、ｉＳｊ）の垂直方向の合計寸法（ｖ０、ｖ１＋ｖ２）が第２壁（ｉＢｊ）の垂直方向の寸法（Ｖ）の２０〜６０％である中仕切装置。
【請求項９】
請求項１乃至８のいずれか１項に記載の中仕切装置であって、各切起片（ｉＴｊ、ｉＳｊ）の水平方向の寸法（ｕ）が第２壁（ｉＢｊ）の水平方向の寸法（Ｅａ）の１０〜３０％である中仕切装置。
【請求項１０】
請求項１乃至８のいずれか１項に記載の中仕切装置であって、第１壁乃至第４壁（ｉＡｊ、ｉＢｊ、ｉＣｊ、ｉＤｊ）が２ｍｍ以下の厚さの板材で作られる中仕切装置。
【請求項１１】
請求項１乃至９のいずれか１項に記載の中仕切装置であって、組立展開状態において前記第１壁（ｉＡｊ）又は第３壁（ｉＣｊ）に平行の方向に配置される区画（ｉＰｊ）の数（ｎ）が４又は５、前記第２壁（ｉＢｊ）及び第４壁（ｉＤｊ）に平行に配置される区画（ｉＰｊ）の数（ｍ）が６である中仕切装置。
【考案の詳細な説明】
【考案の属する技術分野】
【０００１】
本考案は、箱内において展開されたとき箱内を複数の上下方向（垂直方向）に延びる区画に仕切ることが可能な中仕切装置に関し、より詳しくは、区画を形成する壁が丈夫で薄い板材、例えば、段ボール（Ｇフルート）紙、で形成され、箱内で容易に組立展開可能であり且つ充分な強度を備え、箱外で分解することなくアコーディオン式に小さく折り畳むことが可能な構造を有する中仕切装置に関する。
【従来の技術】
【０００２】
近年、多数の飲料びん、缶等の物品を箱、例えば、段ボール箱、に収容し、安全に搬送保管する等のため、箱内を多数の区画に分ける中仕切装置が用いられる。このような中仕切装置は、箱内で組立展開状態とされ、区画内に物品を収容可能とされる。そのため区画内に物品を収容することにより破損を生じないように充分な強度を有することが必要である。また、このような中仕切装置は、できるだけ軽量であると共に、箱内外では搬送保管が容易であるように小型であり、箱内への組込み及び展開が容易であることが必要である。
【０００３】
図９は、従来の中仕切装置８０の斜視図である。図９の中仕切装置８０は、３枚の横板８２及び５枚の縦板８６を組み合わせて形成され、箱の垂直方向の内壁（４面）と協働し合計２４の区画Ｐを形成する。各横板８２は、図１０ａに示すように、それぞれ５つのスロット８４を備え、各縦板８６は、図１０ｂに示すようにそれぞれ３つのスロット８８を備える。横板８２のスロット８４が、縦板８６のスロット８８と係合され、図９に示すように中仕切装置８０が組立てられ、形成された各区画Ｐに、通常、それぞれ１個の飲料びん、缶等が収容される。図９の中仕切装置８０は、箱外において、保管、搬送等のため、横板８２と縦板８６が組立てられたまま各区画が扁平な平行四辺形の断面を有するように折り畳まれ得る。
【０００４】
しかしながら、図９の従来の中仕切装置８０は、組立展開状態（図９の状態）において、横板８２と縦板８６とに具備されたスロット８４、８８（図１０参照）が係合されることのみで固定されるので、強度が低い欠点を有する。また、図１１に示すように、中仕切装置８０の折り畳み状態においては、折り畳まれた中仕切装置８０の長辺の長さＷｏがほぼ組立展開状態（図９の状態）の中仕切装置８０の横板８２の長さＷａと縦板８６の長さＷｂとの和、即ちＷｏ≒Ｗｂ＋Ｗａとなり、長辺Ｗｏが比較的長大となる。この折り畳み状態においては、横板及び縦板が多数重なる状態であるため長辺Ｗｏを中仕切装置を折り曲げることが困難であり、長辺Ｗｏの長さを短くすることはできない。それ故、図９の従来の中仕切装置８０は、組立展開状態において強度が低く、折り畳み状態において小型ではない短所を有する。
【０００５】
特許文献１は、格子状に交差する経板及び緯板を起立倒伏自在とした物品収納バケット用中仕切り体を開示する。しかしながら、特許文献１の中仕切り体は、経板と緯板がやはりスロットによる係合を用いているので、強度が小さい短所を有する。
【特許文献１】特開平８−１３３２９４号公報
【考案の概要】
【考案が解決しようとする課題】
【０００６】
本考案の目的は、従来の中仕切装置の短所を解消し、組立展開状態の強度が大きく、折り畳み状態の寸法が小さい中仕切装置を提供することである。より詳しくは、本考案の目的は、箱内において組立展開されたとき箱内を複数の上下方向（鉛直方向）に延びる区画に仕切ることが可能であり、区画を形成する壁が軽量で薄い板材、例えば、段ボール（Ｇフルート）、プラスチック板、その他で形成され、組立展開構造の強度が大きく、組立展開状態の区画が強固に維持され、箱内で容易に組立展開可能であり、箱外でアコーディオン式に容易に小型に折り畳むことが可能な中仕切装置を提供することである。
【０００７】
本考案の更なる目的は、隣接する壁同志を連続部材又は強固に接着された部材とすることにより中仕切装置の組立展開状態の強度を大きくし、展開工程又は折り畳み工程において組立構造の緩みや部材の脱落のない中仕切装置を提供することである。本考案の更なる目的は、展開状態から折り畳み状態へ変化されるとき中仕切装置の各区画の第１壁と第３壁が互いに平行且つ反対方向へ移動され折り畳み状態の寸法を小型にすることが可能な中仕切装置を提供することである。本考案のその他の目的及び利点は、以下の説明及び添付の図面及び特許請求の範囲の記載において明らかにされる。
【課題を解決するための手段】
【０００８】
本考案は、箱内において組立展開されたとき箱内を複数の上下方向（垂直方向）に延びる区画（ｉＰｊ、ｉ＝１・・ｍ、ｊ＝１・・ｎ）に仕切ることが可能な中仕切装置に関する。本考案の中仕切装置においては、箱内壁から離間する区画（ｉＰｊ）の各々が互いに平行の第１壁（ｉＡｊ）及び第３壁（ｉＣｊ）並びに互いに平行の第２壁（ｉＢｊ）及び第４壁（ｉＤｊ）により囲まれ、第２壁（ｉＢｊ）の切起片（ｉＴｊ）が第３壁（ｉＣｊ）に接着され、第４壁（ｉＤｊ）の切起片（ｉＳｊ）が第１壁（ｉＡｊ）に接着され、第１壁（ｉＡｊ）及び第２壁（ｉＢｊ）が連続する板体により形成されると共に組立展開状態において互いに垂直であり、第３壁（ｉＣｊ）及び第４壁（ｉＤｊ）が連続する別の板体により形成されと共に組立展開状態において互いに垂直であり、前記第１壁乃至第４壁がそれぞれ各々の隣接する区画（ｉ−１Ｐｊ、ｉＰｊ＋１、ｉ＋１Ｐｊ、ｉＰｊ−１）の第３壁（ｉ−１Ｃｊ）、第４壁（ｉＤｊ＋１）、第１壁（ｉ＋１Ａｊ）、及び第２壁（ｉＢｊ−１）と一体である。
【０００９】
本考案の中仕切装置は、次の構造の１つ又は組合わせを備えることができる。（１）前記各区画（ｉＰｊ）の第２壁（ｉＢｊ）が複数の切起片（ｉＴｊ）を有し、該複数の切起片（ｉＴｊ）が同一方向に伸長し第３壁（ｉＣｊ）に接着される。（２）前記各区画（ｉＰｊ）の第４壁（ｉＢｊ）が複数の切起片（ｉＳｊ）を有し、該複数の切起片（ｉＳｊ）が同一方向に伸長し第１壁（ｉＡｊ）に接着される。（３）前記各区画（ｉＰｊ）の組立展開状態における第１壁（ｉＡｊ）と第３壁（ｉＣｊ）の間隔（Ｅａ）が互いにほぼ等しい。（４）前記各区画（ｉＰｊ）の組立展開状態における第２壁（ｉＢｊ）と第４壁（ｉＤｊ）の間隔（Ｋａ）が互いにほぼ等しく、且つ組立展開状態における第１壁（ｉＡｊ）と第３壁（ｉＣｊ）の間隔（Ｅａ）、即ち、ほぼ第２壁ｉＢｊの水平方向の寸法に等しい。
【００１０】
（５）折り畳み状態とするために、前記各区画（ｉＰｊ）の第１壁（ｉＡｊ）と第３壁（ｉＣｊ）が平行且つ互いに反対の方向（＋Ｙ、−Ｙ）へ移動されると共に両者の前記間隔（Ｅａ）が減少され（アコーディオン方式）、前記移動方向に垂直に配置される一連の区画の内の１つ置きの区画（ｉ−２Ｐｊ、ｉＰｊ、ｉ＋２Ｐｊ）の第１壁（ｉＡｊ）が同一方向（＋Ｙ、−Ｙ）となるように移動される。（６）折り畳み状態において、中仕切装置の前記移動方向（＋Ｙ、−Ｙ）の全寸法（Ｋｎ）が前記第２壁（ｉＢｊ）と第４壁（ｉＤｊ）の間隔（Ｋａ）と前記移動方向（＋Ｙ、−Ｙ）の区画（ｉＰｊ）の数（ｎ）との積と、組立展開状態における第１壁（ｉＡｊ）と第３壁（ｉＣｊ）との間隔（Ｅａ）との和（Ｋａ×ｎ＋Ｅａ）である。（７）前記移動方向（＋Ｙ、−Ｙ）にそれぞれ伸張する第１の側壁（Ｈａ）及び第２の側壁（Ｈｂ）を有し、前記第１の側壁（Ｈａ）に対し該第１の側壁（Ｈａ）沿って配置される複数の区画（１Ｐｊ）の各第１壁（１Ａｊ）が接着され、前記第２の側壁（Ｈｂ）に対し該第２の側壁（Ｈｂ）に沿って配置される複数の区画（ｍＰｊ）の各第３壁（ｍＣｊ）が接着される。
【００１１】
（８）切起片（ｉＴｊ、ｉＳｊ）の垂直方向の合計寸法（ｖ０、ｖ１＋ｖ２）が第２壁（ｉＢｊ）の垂直方向の寸法（Ｖ）の２０〜６０％である。（９）各切起片（ｉＴｊ、ｉＳｊ）の水平方向の寸法（ｕ）が第２壁（ｉＢｊ）の水平方向の寸法（Ｅａ）の１０〜３０％である。（１０）第１壁乃至第４壁（ｉＡｊ、ｉＢｊ、ｉＣｊ、ｉＤｊ）が２ｍｍ以下の厚さの板材、例えば、プラスチック板、段ボール紙（Ｇフルート）で作られる。（１１）組立展開状態において前記第１壁（ｉＡｊ）又は第３壁（ｉＣｊ）に平行の方向に配置される区画（ｉＰｊ）の数（ｎ）が４又は５、前記第２壁（ｉＢｊ）及び第４壁（ｉＤｊ）に平行に配置される区画（ｉＰｊ）の数（ｍ）が６である。
【図面の簡単な説明】
【００１２】
【図１】本考案の実施例の中仕切装置の組立展開状態の主要部分を示す水平断面図。
【図２】図１の中仕切装置の折り畳み途中の状態の水平断面図。
【図３】図２の中仕切装置の折り畳み途中の側壁近傍部分の水平部分断面図。
【図４】図２の中仕切装置の切起片を示す第２壁の拡大平面図。
【図５】図２の中仕切装置の別の形態の切起片を示す第２壁の拡大平面図。
【図６】本考案の別の実施例の中仕切装置の組立展開状態を示す全体的概略上面図。
【図７】図６の中仕切装置の壁部材の平面図。
【図８】図６の中仕切装置の折り畳み途中の状態の全体的概略上面図。
【図９】従来の中仕切装置の組立展開状態の斜視図。
【図１０】図１１の中仕切装置を構成する横板及び縦板の平面図。
【図１１】図１１の中仕切装置の折り畳み途中の形状を示す全体的概略上面図である。
【符号の説明】
【００１３】
１０、８０：中仕切装置、１１−１９：壁部材、２２，２４：第２壁ｉＢｊの垂直方向の辺、Ｐ、ｉＰｊ：区画、ｉＡｊ：第１壁、ｉＢｊ：第２壁、ｉＣｊ：第３壁、ｉＤｊ：第４壁、ｉＴｊ、：第２壁の切起片、ｉＳｊ：第４壁の切起片、Ｅａ：組立展開状態の第１壁と第３壁との間隔（ほぼ第２壁ｉＢｊの水平方向の寸法）、Ｈａ、Ｈｂ：Ｙ方向の側壁、Ｋａ：第２壁と第４壁との間隔、Ｋｎ：中仕切装置の折り畳み状態のＹ方向の長さ、Ｒ：壁部材の厚さ、ｕ：切起片の水平方向寸法、Ｖ：第２壁の垂直方向寸法、ｖ０、ｖ１、ｖ２：切起片の垂直方向寸法。
【考案の実施の形態】
【００１４】
図面を参照し、本考案の実施の態様を説明する。図１は、本考案の実施例の中仕切装置の組立展開状態の主要部分を示す水平断面図、図２は、図１の中仕切装置の折り畳み途中の状態の水平断面図、図３は、図２の中仕切装置の側壁近傍部分の水平部分断面図である。図１乃至図３に示すように、本考案の実施例の中仕切装置１０は、箱内において組立展開されたとき箱内を複数の上下方向に延びる区画ｉＰｊに仕切ることが可能な構造を有する。ｉは、箱の第１の内壁に沿って配置される一連の区画の順番を表す整数１・・ｍ、例えば１・・６であり、ｊは、箱の第１の内壁に対し直角を成す第２の内壁に沿って配置される一連の区画の順番を表す整数１・・ｎ、例えば１・・４である。図１乃至図３の中仕切装置１０においては、箱内壁から離間する区画ｉＰｊの各々が互いに平行の第１壁ｉＡｊ及び第３壁ｉＣｊ並びに互いに平行の第２壁ｉＢｊ及び第４壁ｉＤｊにより囲まれる。第１壁ｉＡｊ、第２壁ｉＢｊ、第３壁ｉＣｊ、第４壁ｉＤｊは、板材、例えば、プラスチック、段ボール紙、で形成される。板材の厚さは、例えば、５ｍｍ〜０．５ｍｍであり、典型的には、「Ｇフルート」と呼ばれる軽量で１ｍｍ以下の厚さＲの薄い段ボールである。
【００１５】
図４は、図２の中仕切装置の切起片ｉＴｊ、ｉＳｊを示すための第２壁ｉＢｊの拡大平面図である。図４において、中仕切装置の各区画の第２壁ｉＢｊの垂直方向の２つの辺２２、２４の各々がその辺に接して単一の切起片ｉＴｊ、ｉＳｊを有する。図４において、切起片ｉＴｊ、ｉＳｊの垂直方向の辺２２、２４に平行の寸法ｖ０は、第２壁ｉＢｊの垂直方向の辺２２、２４の寸法Ｖの２０％〜６０％であり、例えば、Ｖ＝２００ｍｍ、ｖ０＝１００ｍｍである。図４において、切起片ｉＴｊ、ｉＳｊの高さ、即ち、第２壁ｉＢｊの垂直方向の辺２２、２４に対する切起片ｉＴｊ、ｉＳｊの直角方向の寸法ｕは、組立展開状態における第１壁ｉＡｊと第３壁ｉＣｊの間隔Ｅａ（第２壁ｉＢｊの水平方向の寸法）の１０％〜３０％である。例えば、Ｅａ＝７６ｍｍ、ｕ＝２０ｍｍである。切起片ｉＴｊ、ｉＳｊの形状は、辺２２、２４上の長さが辺２２、２４に平行且つ辺２２、２４から離間して延びる辺より幾分長い台形とすることができる。また辺２２、２４から離間した隅部に丸み（図示しない）をつけるのが好適である。
【００１６】
図５は、中仕切装置の別の形態の切起片ｉＴｊ、ｉＳｊを示すための第２壁の拡大平面図である。図５において、中仕切装置の各区画の第２壁ｉＢｊの垂直方向の辺２２がその辺に接する２つの切起片ｉＳｊを有し、辺２４がその辺に接する２つの切起片ｉＴｊを有する。中仕切装置の各区画の垂直方向の寸法が大きい場合、例えば、２００ｍｍを超える場合は、切起片ｉＴｊ、ｉＳｊは、それぞれ２個以上とすることが好適である。図５の事例において、各辺２２、２４に隣接する２つの切起片の合計垂直方向寸法ｖ１＋ｖ２は、第２壁ｉＢｊの垂直方向の辺２２、２４の寸法Ｖの２０％〜６０％であり、例えば、Ｖ＝２００ｍｍ、ｖ０＝１１０ｍｍ、ｖ１＝５５ｍｍ、ｖ２＝５５ｍｍ、である。図５に示す切起片ｉＴｊ、ｉＳｊの高さｕは、第２壁ｉＢｊの水平方向の寸法Ｅａの１０％〜３０％である。例えば、Ｅａ＝７６ｍｍ、ｕ＝２０ｍｍである。また図４の場合と同様に、切起片ｉＴｊ、ｉＳｊの形状は、辺２２、２４上の長さが辺２２、２４に平行且つ辺２２、２４から離間して延びる辺より幾分長い台形とすることができる。また辺２２、２４から離間した隅部に丸み（図示しない）をつけるのが好適である。
【００１７】
図１乃至図３に示すように、第２壁ｉＢｊの切起片ｉＴｊが第３壁ｉＣｊに接着され、第４壁ｉＤｊの切起片ｉＳｊが第１壁ｉＡｊに接着される。第１壁ｉＡｊ及び第２壁ｉＢｊが連続する板体により形成されると共に組立展開状態において互いに垂直である。第３壁ｉＣｊ及び第４壁ｉＤｊが連続する別の板体により形成されと共に組立展開状態において互いに垂直である。第１壁乃至第４壁がそれぞれ各々の隣接する区画ｉ−１Ｐｊ、ｉＰｊ＋１、ｉ＋１Ｐｊ、ｉＰｊ−１の第３壁ｉ−１Ｃｊ、第４壁ｉＤｊ＋１、第１壁ｉ＋１Ａｊ、及び第２壁ｉＢｊ−１と一体である。即ち、第１壁ｉＡｊとそれに隣接する区画ｉ−１Ｐｊ、の第３壁ｉ−１Ｃｊは、１枚の薄い板材、好適には厚さＲが１ｍｍ以下の１枚の段ボール紙の表裏面により構成される。同様に、第２壁ｉＢｊとそれに隣接する区画ｉＰｊ＋１の第４壁ｉＤｊ＋１は、好適には、厚さＲが１ｍｍ以下の１枚の段ボール紙の表裏面により構成される。
【００１８】
図１乃至図３に示すように、各区画の第２壁ｉＢｊの切起片ｉＴｊが各区画の第３壁ｉＣｊに沿う方向に伸長し接着される。図１において、第２壁ｉＢｊはとそれに隣接する区画ｉＰｊ＋１の第３壁ｉＣｊ＋１は、連続した一枚の段ボール紙により作られるが、第２壁ｉＢｊの切起片ｉＴｊは、図１に示すように、隣接する区画ｉＰｊ＋１の第３壁ｉＣｊ＋１の延長方向となるように９０度回転されて伸長され、区画ｉＰｊの第３壁ｉＣｊに接着される。また、各区画ｉＰｊの第４壁ｉＢｊの切起片ｉＳｊが第１壁ｉＡｊに沿う方向に伸長し接着される。図１において、第４壁ｉＤｊの切起片ｉＳｊが、隣接する区画ｉＰｊ―１の第１壁ｉＡｊ―１の延長方向となるように９０度回転されて伸長され、第１壁ｉＡｊに接着される。切起片ｉＴｊ及び切起片ｉＳｊは、図５に示すように、それぞれ同一方向に伸長する複数の部材とすることができる。
【００１９】
図１乃至図３に示すように、各区画ｉＰｊの組立展開状態における第１壁ｉＡｊと第３壁ｉＣｊの間隔Ｅａは、互いにほぼ等しくされる。また各区画ｉＰｊの組立展開状態における第２壁ｉＢｊと第４壁ｉＤｊの間隔Ｋａもまた互いにほぼ等しく、且つ第１壁ｉＡｊと第３壁ｉＣｊの間隔Ｅａに等しくされる。中仕切装置１０を折り畳み状態とするために、図２に示すように、各区画ｉＰｊの第１壁ｉＡｊと第３壁ｉＣｊが平行且つ互いに反対の方向＋Ｙ、−Ｙへ移動されると共に両者の間隔Ｅａが減少される。この場合、前記移動方向＋Ｙ、−Ｙに垂直に配置される一連の区画の内の１つ置きの区画ｉ−２Ｐｊ、ｉＰｊ、ｉ＋２Ｐｊ・・・の第１壁ｉＡｊが同一方向＋Ｙ、−Ｙとなるように移動される。
【００２０】
図２は、図１の中仕切装置１０の折り畳み途中の状態の水平断面図である。図２から容易に推定されるように、折り畳み状態において、中仕切装置１０の前記移動方向＋Ｙ、−Ｙの全寸法Ｋｎは、第２壁ｉＢｊと第４壁ｉＤｊとの間隔Ｋａと移動方向＋Ｙ、−Ｙの区画ｉＰｊの数ｎとの積と、組立展開状態の第１壁ｉＡｊと第３壁ｉＣｊとの間隔、即ち第２壁ｉＢｊ又は第４壁ｉＤｊの水平方向寸法Ｅａとの和、即ち、Ｋｎ＝Ｋａ×ｎ＋Ｅａである。
【００２１】
図３に示すように、中仕切装置１０は、移動方向＋Ｙ、−Ｙにそれぞれ伸張する第１の側壁Ｈａ及び第２の側壁Ｈｂを有し、第１の側壁Ｈａに対し該第１の側壁Ｈａ沿って配置される複数の区画１Ｐｊの各第１壁１Ａｊが接着され、第２の側壁Ｈｂに対し該第２の側壁Ｈｂに沿って配置される複数の区画ｍＰｊの各第３壁ｍＣｊが接着される。第１の側壁Ｈａ及び第２の側壁Ｈｂに第１壁１Ａｊ及び第３壁ｍＣｊが接着されることにより、中仕切装置１０の組立展開状態の変形抵抗を大きくすることができると共に、第１壁１Ａｊ及び第３壁ｍＣｊの自由端が、第１の側壁Ｈａ及び第２の側壁Ｈｂに固定されることにより箱外へ取り出されたときもバラツクことがない。
【００２２】
図６は、本考案の別の実施例の中仕切装置の組立展開状態を示す全体的概略上面図であり、中仕切装置を構成する複数の壁部材１１−１９のそれぞれの形状が明瞭であるように、壁部材により形成される区画の隅部に隙間を配置したものである。図６の中仕切装置は、図６の縦方向に５個の区画Ｐ、横方向に６個の区画Ｐが配置され、合計３０の区画Ｐを含む。図６の中仕切装置の３０の区画Ｐは、９枚の壁部材１１−１９により形成されている。図７は、図６の中仕切装置のを形成する９枚の壁部材の平面図であり、９枚の壁部材１１−１９を並べて示している。図７の平面図において、第１壁ｉＡｊの図示しない裏面が隣接する区画の第３壁であり、第２壁ｉＢｊの図示しない裏面が隣接する区画の第４壁である。
【００２３】
図６及び図７から明らかなように、壁部材１１が区画Ｐの３壁面１Ａ４、１Ｂ４、２Ａ５を含み、壁部材１９が同じく３壁面を含む。壁部材１２及び１８は、各々５壁面を含み、壁部材１３及び１７は、各々７壁面を含み、壁部材１４、１５及び１６は、各々９壁面を含む。壁部材１１−１９は、板材、例えば、プラスチック、段ボール紙から成り、その厚さＲは、５ｍｍ〜０．１ｍｍ、例えば、１ｍｍである。板材は、好ましくは、「Ｇフルート」と呼ばれる軽量で１ｍｍ以下の厚さＲの薄い段ボールである。
【００２４】
図８は、図６及び図７の中仕切装置の折り畳み途中の状態を示す全体的概略上面図であり、中仕切装置が完全な折り畳み状態になる直前まで折り畳まれた状態を示す。また、図６及び図７の中仕切装置には含まれない側壁Ｈａ及びＨｂを具備する。中仕切装置１０を折り畳み状態とするために、図７の組立展開状態から、図８に示すように、各区画Ｐの第１壁と第３壁が平行且つ互いに反対の方向＋Ｙ、−Ｙへ移動され、かつ両者の間隔が減少される。図８に示すように、移動方向＋Ｙ、−Ｙに垂直に配置される一連の区画Ｐの内の１つ置きの区画Ｐの第１壁が同一方向＋Ｙ、−Ｙとなるように移動され（アコーディオン式）、それによりＫｎが従来の中仕切装置の折り畳み状態に比較し、格段に短くすることができる。
【００２５】
本考案の中仕切装置は、区画を形成する壁部材に切起片が接着される故に、組立構造が強固であり、壁部材の歪曲が小さく、壁部材の脱落が生じることもない利点を有する。中仕切装置は、薄い段ボール紙により形成することが可能であり、折り畳み状態の容積が小さく、運搬時の積載量を増加すること、及び中仕切装置の保管場所を縮小することができる。切起片が予め壁面に接着された小型の状態で保管され必要時に箱内で容易に短時間で使用状態、即ち組立展開状態とすることができる等の利点を有する。
【図４】
0003163144.tif 000003
【図５】
0003163144.tif 000004
【図６】
0003163144.tif 000005
【図８】
0003163144.tif 000006
【図９】
0003163144.tif 000007
【図１０】
0003163144.tif 000008
【図１１】
0003163144.tif 000009
【図１】
0003163144.tif 000010
【図２】
0003163144.tif 000011
【図３】
0003163144.tif 000012
【図７】
0003163144.tif 000013